(57)【要約】      （修正有）【課題】プライバシ機能を利用することで、ＩＣロック機能の実行時にＩＣカードの認証などを行う。【解決手段】ＩＣと、ＩＣカードロック設定部と、主制御部とを有している。前記ＩＣは、各種のサービスを提供するＩＣカード機能部と、前記ＩＣカード機能部でのサービスを制御するための情報を記憶するプライバシ機能設定部とを含んでいる。前記ＩＣカードロック設定部は、前記ＩＣカード機能部の動作にロックを掛ける設定を管理する。前記主制御部は、前記ＩＣカードロック設定部が管理するロックが解除された際、前記プライバシ機能設定部で設定されたプライバシ情報に基づいて前記ＩＣカード機能部でのサービスを強制的に停止させる。【選択図】図１
2008234421.tif 000002
【特許請求の範囲】
【請求項１】
非接触方式で行われる通信を管理する通信管理装置であって、
ＩＣと、ＩＣカードロック設定部と、主制御部とを有し、
前記ＩＣは、各種のサービスを提供するＩＣカード機能部と、前記ＩＣカード機能部でのサービスを制御するための情報を記憶するプライバシ機能設定部とを含み、
前記ＩＣカードロック設定部は、前記ＩＣカード機能部の動作にロックを掛ける設定を管理するものであり、
前記主制御部は、前記ＩＣカードロック設定部が管理するロックが解除された際、前記プライバシ機能設定部で設定されたプライバシ情報に基づいて前記ＩＣカード機能部でのサービスを強制的に停止させるものである、ことを特徴とする通信管理装置。
【請求項２】
前記ＩＣは、電磁波を供給することで、非接触型ＩＣに管理された情報を取得するリーダ／ライタを含み、
前記主制御部は、前記ＩＣ機能部でのサービスを強制的に停止させた状態で、前記リーダ／ライタが取得した情報に基づいて行う認証を行う、請求項１に記載の通信管理装置。
【請求項３】
前記主制御部は、前記認証が真である場合、前記ＩＣカード機能部を起動させる、請求項２に記載の通信管理装置。
【請求項４】
前記非接触型ＩＣは携帯可能である、請求項２に記載の通信管理装置。
【請求項５】
前記主制御部は、設定時間内で前記認証を行う、請求項２に記載の通信管理装置。
【請求項６】
前記主制御部は、前記設定時間を経過した前記認証を無効にする、請求項５に記載の通信管理装置。
【請求項７】
非接触方式で行われる通信を管理する通信管理装置を構成するコンピュータを制御駆動させる通信管理プログラムであって、
各種のサービスを提供するＩＣカード機能部及び、前記ＩＣカード機能部でのサービスを制御するための情報を記憶するプライバシ機能設定部を含むＩＣを用い、
前記コンピュータに、
前記ＩＣカード機能部の動作にロックを掛ける機能と、
前記ＩＣカード機能部のロックが解除された際、前記プライバシ機能設定部で設定されたプライバシ情報に基づいて前記ＩＣカード機能部でのサービスを強制的に停止させる機能とを実行させる、ことを特徴とする通信管理プログラム。
【請求項８】
前記ＩＣとして、電磁波を供給することで、非接触型ＩＣに管理された情報を取得するリーダ／ライタを更に含む前記ＩＣを用い、
前記コンピュータに、
前記ＩＣ機能部でのサービスを強制的に停止させた状態で、前記リーダ／ライタが取得した情報に基づいて行う認証を実行させる、請求項７に記載の通信管理プログラム。
【請求項９】
前記コンピュータに、前記認証が真である場合、ＩＣカード機能部を起動する機能を実行させる、請求項８に記載の通信管理プログラム。
【請求項１０】
前記コンピュータに、設定時間内で前記認証を行う機能を実行させる、請求項８に記載の通信管理プログラム。
【請求項１１】
前記コンピュータに前記設定時間を経過した前記認証を無効にする機能を実行させる、請求項１０に記載の通信管理プログラム。
【請求項１２】
非接触方式で行われる通信を管理する通信管理方法であって、
各種のサービスを提供するＩＣカード機能部及び、前記ＩＣカード機能部でのサービスを制御するための情報を記憶するプライバシ機能設定部を含むＩＣを用い、
前記ＩＣカード機能部のロックが解除された際、前記プライバシ機能設定部で設定されたプライバシ情報に基づいて前記ＩＣカード機能部でのサービスを強制的に停止する、ことを特徴とする通信管理方法。
【請求項１３】
前記ＩＣに組み込まれたリーダ／ライタから電磁波を供給することで、非接触型ＩＣに管理された情報を取得し、
前記ＩＣ機能部でのサービスを強制的に停止させた状態で、前記リーダ／ライタが取得した情報に基づいて認証を行う、請求項１２に記載の通信管理方法。
【請求項１４】
前記認証が真である場合、ＩＣカード機能部を起動する、請求項１３に記載の通信管理方法。
【請求項１５】
設定時間内で前記認証を行う、請求項１３に記載の通信管理方法。
【請求項１６】
前記設定時間を経過した前記認証を無効にする、請求項１５に記載の通信管理方法。
【発明の詳細な説明】
【技術分野】
【０００１】
本発明は、非接触方式で行われる通信を管理する通信管理装置及び通信管理方法並びに通信管理プログラムに関する。
【背景技術】
【０００２】
最近、不揮発メモリと無線通信チップとを備えた非接触ＩＣカード技術（Felica（登録商標）；非特許文献１参照）が開発されている。非接触ＩＣカード技術では、非接触ＩＣを各種のカードに組み込み、このＩＣカードを読取／書込端末（リーダ／ライタ）に翳すことにより、読取／書込端末との間にデータの送受信を行うことができる。さらに、非接触ＩＣカードの電源として、読取／書込端末から発信される電磁波に基づいて生成される電力を用いるものであるため、バッテリー等の電源を持たない構造であり、ＩＣカードの構造を簡素化でき、しかも電池切れで使用不可となることがなく、例えば、プリペイドＩＣカード（Suica（登録商標）や、電子決済のクレジットカード（Edy（登録商標））、社員証などに利用されている。
【０００３】
最近、非接触ＩＣカードの機能を無線電話装置に適用する試みがなされている。すなわち、無線電話装置には、様々な情報が格納されるため、これらの情報の漏出を防止する対策として、ロック機能の重要性が増している。一般に無線電話装置では、ユーザによるキー操作で暗証番号を入力することで、提供されるさまざまなロック機能が備えられている。そのロック機能は、例えば、電源ＯＮ／ＯＦＦ、緊急呼発信等限られた機能以外の機能が使用できなくなるオールロック、メールが表示できなくなるメールセキュリティ設定などに用いられている。
【０００４】
前記無線電話装置のロック機能に、非接触型ＩＣカードが備えているロック機能を適用することが可能である。前記非接触ＩＣカードによるロック機能は、非接触型ＩＣカードが提供するサービス、例えばEdy（登録商標）などの電子決済サービスを提供するＩＣ（Faver）の電源をＯＦＦすることで実現している。
【０００５】
上述したロック機能を解除する技術としては、例えば、上述したオールロックやメールセキュリティ設定の解除画面において、暗証番号を入力するという操作が必要になる。また、下記特許文献１に開示されているように、簡単な操作の後に予めFeliCa IDmを登録しておいた別の外部ＩＣカードを翳し、前記外部ＩＣカードの固有データであるFeliCa IDmを照合することにより、ロック解除を実現する。これにより、カードが手元になければロック解除ができないため、不正なロック解除を防止することができ、また、カードが手元にあれば暗証番号入力の手間が省けるという点で便利な機能である。そして、上述したロック解除を行うための認証は、ＩＣカード認証機能として利用することができる。
【０００６】
【特許文献１】特開２００４−５４３０５号公報
【非特許文献１】http://www.sony.co.jp/Products/felica/
【発明の開示】
【発明が解決しようとする課題】
【０００７】
しかしながら、上述したＩＣカードの認証機能は、以下のような不都合があった。つまり、ＩＣカードロック機能中は、ＩＣ（Faver）の電源をＯＦＦにしており、外部ＩＣカードのFeliCa IDmを読み出すことができないが、認証を実施するためには、ＩＣ（Faver）の電源をＯＮにしなければならない。しかし、ＩＣ（Faver）の電源をＯＮにすると、ＩＣカード機能は自動で動作可能状態となってしまい、停止することができない。そのため、ＩＣの電源をＯＮにした場合、ＩＣカード内に記録された情報が外部から見えてしまうという可能性がある。
【０００８】
一方で、上述したような外部ＩＣカードを用いてロック解除を行うことの必要性は依然として高い。例えば、無線電話装置のＩＣカード機能として、定期券に関するサービスとクレジットカードに関するサービスとを登録していた場合、無線電話装置を紛失した場合を考慮して、無線電話装置の不使用時は、ＩＣカード機能をロックする設定とすることが望ましいものである。
【０００９】
しかし、定期券のように頻繁に使用するサービスでは、ロック解除の操作が面倒となりうる。このような場合に、簡単な操作の後に外部ＩＣカードを翳すだけでロックを解除できると、利便である。
【００１０】
本発明の目的は、プライバシ機能を利用することで、ＩＣロック機能の実行時にＩＣカードの認証などを行うことを可能にした通信管理装置及び通信管理方法並びに通信管理プログラムを提供することにある。
【課題を解決するための手段】
【００１１】
前記目的を達成するため、本発明に係る通信管理装置は、非接触方式で行われる通信を管理する通信管理装置であって、
ＩＣと、ＩＣカードロック設定部と、主制御部とを有し、
前記ＩＣは、各種のサービスを提供するＩＣカード機能部と、前記ＩＣカード機能部でのサービスを制御するための情報を記憶するプライバシ機能設定部とを含み、
前記ＩＣカードロック部は、前記ＩＣカード機能部の動作にロックを掛ける設定を管理するものであり、
前記主制御部は、前記ＩＣカードロック設定部によるロックが解除された際、前記プライバシ機能設定部で設定されたプライバシ情報に基づいて前記ＩＣカード機能部でのサービスを強制的に停止させるものである、ことを特徴とするものである。
【００１２】
上記の例では、本発明をハードウェアとしての通信管理装置として構築したが、これに限られるものではない。本発明は、通信管理方法、或いはソフトウェアとしての通信管理プログラムとして構築してもよいものである。
【００１３】
本発明に係る通信管理プログラムは、非接触方式で行われる通信を管理する通信管理装置を構成するコンピュータを制御駆動させる通信管理プログラムであって、
各種のサービスを提供するＩＣカード機能部及び、前記ＩＣカード機能部でのサービスを制御するための情報を記憶するプライバシ機能設定部を含むＩＣを用い、
前記コンピュータに、
前記ＩＣカード機能部の動作にロックを掛ける機能と、
前記ＩＣカード機能部のロックが解除された際、前記プライバシ機能設定部で設定されたプライバシ情報に基づいて前記ＩＣカード機能部でのサービスを強制的に停止させる機能とを実行させる構成として構築する。
【００１４】
本発明に係る通信管理方法は、非接触方式で行われる通信を管理する通信管理方法であって、
各種のサービスを提供するＩＣカード機能部及び、前記ＩＣカード機能部でのサービスを制御するための情報を記憶するプライバシ機能設定部を含むＩＣを用い、
前記ＩＣカード機能部のロックが解除された際、前記プライバシ機能設定部で設定されたプライバシ情報に基づいて前記ＩＣカード機能部でのサービスを強制的に停止する構成として構築する。
【発明の効果】
【００１５】
本発明によれば、ＩＣに組み込まれたＩＣカード機能部のロック状態が解除された際に、プライバシ機能設定部で設定されたプライバシ情報に基づいて前記ＩＣカード機能部によるサービスを強制的に停止させるため、ＩＣカード機能部による各種のサービスを不用意に提供することを未然に防止することができる。
【発明を実施するための最良の形態】
【００１６】
以下、本発明の実施形態を図に基づいて詳細に説明する。
【００１７】
FeliCa（フェリカ）は、非接触ＩＣカード技術方式である。FeliCaは、リーダ／ライタとカードとの間の通信は、リーダ／ライタから発信される電磁波によって行われる。
【００１８】
ところで、最近の無線電話装置では、FeliCaのＩＣカード機能を搭載することが一般的になりつつある。FeliCaが組み込まれる無線電話装置には、暗証番号を入力することで提供されるさまざまなサービスをロックする機能が備えられている。例えば、電源ＯＮ／ＯＦＦ、緊急呼発信等限られた機能以外の機能が使用できなくなるオールロック、メールが表示できなくなるメールセキュリティ設定などである。無線電話装置にさまざまな情報が格納されるようになったことにより、ロック機能は重要性を増している。
【００１９】
FeliCaが備えたＩＣカード機能によって提供されるサービスは、課金に関わるものも多く、ＩＣカード機能のロック機能も重要な機能の一つとなっている。ＩＣカードロック機能は、無線電話装置内の、サービスを提供するＩＣ(Faver)の電源をＯＦＦすることにより実現している。
【００２０】
これまで、無線電話装置において提供されるFeliCaサービスはＩＣカード機能のみであったが、FeliCaサービスを提供するＩＣがＩＣカード機能だけでなく、リーダ／ライタ機能もサポートするようになり、今後の無線電話装置では、リーダ／ライタ機能も搭載することが可能となった。
【００２１】
したがって、FeliCaのリーダ／ライタ機能を使用してロック機能の解除機能を提供するＩＣカード認証機能を提供することが可能となる。すなわち、上述したオールロックやメールセキュリティ設定の解除画面において、従来は暗証番号を入力していたのに対して、簡単な操作の後に予め登録しておいた外部ＩＣカード（非接触型ＩＣ）を無線電話装置のリーダ／ライタに翳し、外部ＩＣカードの認証用FeliCa IDmを無線電話装置のリーダ／ライタで読み取ることで照合を行い、ロック解除を実現するものである。外部カードが無線電話装置のユーザの手元になければ、無線電話装置のロックを解除ができず、外部カードがユーザの手元にあれば、無線電話装置への暗証番号の入力の手間が省けるという点で有効な機能である。
【００２２】
しかし、前記外部ＩＣカードの認証機能は、ＩＣカードロック機能へ適用する場合に問題がある。何故ならば、ＩＣカードロック機能中は、Faverの電源をＯＦＦしており、外部ＩＣカードのFeliCa IDmを読み出すことができないためである。ＩＣカード認証機能を実施するためには、Faverの電源をＯＮしなければならないが、Faverの電源をＯＮすると、ＩＣカード機能は自動で動作可能状態となってしまい、その起動状態を停止することができない。そのため、ユーザによってＩＣカード機能をロック(停止)している状態であるにも拘わらず、ＩＣカード機能を使用できてしまう。無線電話装置に組み込まれたFaverは、課金を伴うサービスも多いため、これは大きな問題である。
【００２３】
一方でＩＣカードロック機能自体も外部ＩＣカード機能で解除することは期待される。例えば、無線電話装置のＩＣカード機能に定期券のサービスとクレジットカードのサービスとを登録していた場合、無線電話装置を紛失した場合を考慮し、ＩＣカード機能はロック状態と設定したいが、定期券のように頻繁に使用するサービスでは、ロック解除の操作が面倒と感じることもある。このような場合、ＩＣカード認証機能を使用できれば、簡単な操作の後、外部ＩＣカードを翳すだけでロックを解除でき便利である。
【００２４】
本発明の実施形態に係る通信管理装置は、プライバシ機能を利用することで、ＩＣロック機能の実行時にＩＣカードの認証などを行うことを可能にしたものである。以下では、本発明の実施形態に係る通信管理装置を無線電話装置１に組み込んだ例を説明する。
【００２５】
本発明の実施形態に係る通信管理装置は図１に示すように、非接触方式で行われる通信を管理する通信管理装置であって、無線電話装置１に組み込まれ、ＩＣ１０と、ＩＣカードロック設定部と、主制御部１５とを有している。
【００２６】
ＩＣ１０は非接触ＩＣ技術方式で構成されたＩＣであり、ＩＣカード機能部１１ａと、プライバシ機能設定部１１ｂとを含んでいる。さらに、ＩＣ１０は、電磁波を供給することで、非接触ＩＣ（外部カード）１７に管理された情報を取得するリーダ／ライタ１２を備えている。非接触ＩＣ（外部カード）１７は、ユーザが携帯可能であり、この非接触ＩＣ１７は、ＩＣ１０についてＩＣカード認証を行う際に用いられる。
【００２７】
ＩＣカード機能部１１ａは、各種のサービスを提供する。プライバシ機能設定部１１ｂは、ＩＣカード機能部１１ａによるサービスを制御するための情報、すなわち、ＩＣカード機能部１１ａによるサービスを強制的に停止させるための情報を記憶する。したがって、プライバシ機能設定部１１ｂのプライバシ機能をＯＮすることで、ＩＣ（Faver）１０のＩＣカード機能部１１ａに登録されているサービスが登録されていないものとしてＩＣカード機能部１１ａを動作させることが可能となる。
【００２８】
ＩＣカードロック設定部は、ＩＣカード機能部１１ａの動作にロックを掛ける設定を管理するものであり、前記ＩＣカード機能部１ｂの動作にロックを掛ける設定を管理するものであり、ＩＣカードロック設定記憶部１４と、FeliCa IDm記憶部１３とを含んでいる。ＩＣカードロック設定記憶部１４は、ＩＣカード機能部１１ａをロック状態に設定する情報を記憶する。ＩＣカードロック設定記憶部１４が記憶する前記情報（ロック情報）は、ユーザが操作部１６を操作することにより入力され、主制御部１５の制御の下にＩＣカードロック設定記憶部１４に記憶される。
【００２９】
FeliCa  IDm記憶部１３は、ＩＣカード認証時に照合する対象となる非接触ＩＣ（外部ＩＣ）１７に設定されたFeliCa  IDmに対応するFeliCa  IDmの情報を格納する。FeliCa  IDm記憶部１３が記憶する前記情報（FeliCa  IDm）は、ユーザが操作部１６を操作することにより入力され、主制御部１５の制御の下にFeliCa  IDm記憶部１３に記憶される。
【００３０】
主制御部１５は、無線電話装置１の全体の動作を制御する機能に加えて、ＩＣカードロック設定部（１３，１４）によるロックが解除された際、プライバシ機能設定部１１ｂで設定されたプライバシ情報に基づいてＩＣ１０のＩＣカード機能部１１１ａによるサービスを強制的に停止させる機能を有している。操作部１６は、上述した操作に加えて、無線電話装置１の操作に必要な情報がユーザによって入力される。
【００３１】
以上の説明では、本発明の実施形態に係る通信管理装置をハードウェアとしての構成で構築したが、これに限られるものではない。上述したハードウェアとしての構成の機能をコンピュータに実行させるソフトウェアとして構築するようにしてもよいものである。
【００３２】
次に、本発明の実施形態の動作を図１、図２及び図３に基づいて説明する。
【００３３】
先ず、ＩＣ１０のＩＣカード機能部１１の動作をロックする場合を図２に基づいて説明する。
【００３４】
操作部１６がユーザによって操作され（図２のステップ２０１）、その操作がＩＣカードロック設定の操作である場合（図２のステップ２０２；ＹＥＳ）、主制御部１５は、操作部１６からＩＣカードロック設定の操作に必要な情報を受け取ると、主制御部１５は、そのＩＣカードロック設定情報がＩＣカードロックＯＮの場合（図２のステップ２０２；ＹＥＳ）、ＩＣ（Faver）１０内のプライバシ機能設定記憶部１１ｂにプライバシ設定ＯＮの情報を記憶させる(図２のステップ２０３)。これにより、プライバシ機能設定記憶部１１ｂは、ＩＣカード機能部１１ａでのサービスを制御するための情報を保有することとなる。
【００３５】
主制御部１５は、ＩＣ（Faver）１０内のプライバシ機能設定記憶部１１ｂにプライバシ設定ＯＮの情報を記憶させた場合(図２のステップ２０３)、主制御部１５は、ＩＣ（Faver）１０の電源をＯＦＦする(図２のステップ２０４)。
【００３６】
次に、主制御部１５は、ＩＣカードロック設定記憶部１１ｂにＩＣカードロックＯＮの情報を記憶させる(図２のステップ２０５）。
【００３７】
次に、ＩＣカードロック解除の動作を図２に基づいて説明する。
【００３８】
主制御部１５は、操作部１６からＩＣカードロック解除の情報を受け取ると（図２のステップ２０１、ステップ２０２；ＮＯ）、主制御部１５は、ＩＣ（Faver）１０の電源をＯＮする(図２のステップ２０６)。
【００３９】
次に、主制御部１５は、ＩＣ（Faver）１０内のプライバシ機能設定記憶部１１ｂにプライバシ設定ＯＦＦの情報を記憶させる(図２のステップ２０７)。さらに、主制御部１５は、ＩＣカードロック設定記憶部１４にＩＣカードロックＯＦＦの情報を記憶させる(図２のステップ２０８)。
【００４０】
以上説明したように、プライバシ機能設定記憶部１１ｂにプライバシ設定ＯＮの情報が記憶されると、ＩＣ１０の電源がＯＦＦされ、ＩＣカード機能部１１ａの動作がロックされる。逆に、プライバシ機能設定記憶部１１ｂにプライバシ設定ＯＦＦの情報が記憶されると、ＩＣ１０の電源がＯＮされ、ＩＣカード機能部１１ａの動作についてのロックが解除される。
【００４１】
次に、ＩＣカード認証の動作を図３に基づいて説明する。
【００４２】
主制御部１５は、操作部１６からＩＣカード認証開始の情報を受け取ると（図３のステップ３０１）、主制御部１５は、ＩＣカードロック設定記憶部１４からロック設定状態を読み出す(図３のステップ３０２)。
【００４３】
主制御部１５は、ＩＣカードロック設定記憶部１４から読み出した情報がＩＣカードロック設定の情報であれば（図３のステップ３０２；ＹＥＳ）、ＩＣ（Faver）１０の電源をＯＮする(図３のステップ３０３)。
【００４４】
次に、主制御部１５は、ＩＣ（Faver）１０のリーダ／ライタ１２を起動させて、リーダ／ライタ１２から電磁波を放射させて、非接触ＩＣ（外部カード）１７で管理されている情報、すなわち、FeliCa IDmを取得するように制御する(図３のステップ３０４)。
【００４５】
主制御部１５は、非接触ＩＣ１７のFeliCa  IDmを検出したならば（図３のステップ３０４；ＹＥＳ）、その検出したFeliCa  IDmとFeliCa  IDm記憶部１３のデータとを照合する(図３のステップ３０５)。
【００４６】
主制御部１５は、非接触ＩＣのFeliCa  IDmとFeliCa  IDm記憶部１３のデータとが一致すれば、ＩＣカード認証成功として判断する（図３のステップ３０６）。主制御部１５は、非接触ＩＣのFeliCa  IDmとFeliCa  IDm記憶部１３のデータとが不一致の場合、ＩＣカード認証失敗として判断する（図３のステップ３０７）する。
【００４７】
主制御部１５は、ＩＣカードロック中であれば、ＩＣ（Faver）１０の電源をＯＦＦする状態にする（図３のステップ３０９)。
【００４８】
主制御部１５は、ＩＣカード認証に成功した場合、ＩＣカードロックがＯＮであるか否かを判定し、ＩＣカードロックがＯＮの場合（図３のステップ３０８；ＹＥＳ）、ＩＣ（Faver）１０の電源をＯＦＦする（図８のステップ３０９）。
【００４９】
主制御部１５は、ＩＣカード認証に失敗した場合、ＩＣカードロックがＯＮであるか否かを判定し、ＩＣカードロックがＯＮの場合（図３のステップ３０８；ＹＥＳ）、ＩＣ（Faver）１０の電源をＯＦＦする（図８のステップ３０９）。
【００５０】
また、主制御部１５は、操作部１６からＩＣカード認証開始の情報を受け取った場合（図３のステップ３０１）、主制御部１５は、ＩＣカードロック設定記憶部１４から読み出した情報がＩＣカードロックＯＮ設定の情報でなければ（図３のステップ３０２；ＮＯ）、ＩＣ（Faver）１０の電源をＯＦＦに維持する。
【００５１】
以上のように、主制御部１５は、ＩＣカードロック記憶部１４のロック設定状態がＩＣカード機能部１１ａをロックする設定であれば、ＩＣカードロック部によるロックが解除された際、ＩＣカード機能部１１ａによるサービスを、プライバシ機能設定部１１ｂに記憶された情報に基づいて強制的に停止させる。
【００５２】
図３に示すように、上述した主制御部１５のＩＣカード機能部１１ａに対する制御と、ＩＣ１０についてのＩＣカード認証動作を組み合わせると、主制御部１５は、ＩＣカードロック記憶部１４のロック設定状態がＩＣカード機能部１１ａをロックする設定であって、ＩＣカードロック部によるロックが解除された際、ＩＣ１０についてのＩＣカード認証に成功しない限り、ＩＣカード機能部１１ａによるサービスを、プライバシ機能設定部１１ｂに記憶された情報に基づいて強制的に停止させる。
【００５３】
本発明の実施形態によれば、ＩＣに組み込まれたＩＣカード機能部のロック状態が解除された際に、前記ＩＣカード機能部を起動させるのではなく、
プライバシ機能設定部で設定されたプライバシ情報に基づいて前記ＩＣカード機能部によるサービスを強制的に停止させるため、ＩＣカード機能部による各種のサービスを不用意に提供することを未然に防止することができる。
【００５４】
本発明の実施形態によれば、ＩＣについてのＩＣカード認証動作を組み合わせることで、ＩＣのロックが解除されてＩＣへ電源がＯＮされても、ＩＣに対するＩＣカード認証に成功しない限り、ＩＣカード機能部のサービスを、プライバシ機能設定部で設定されたプライバシ情報に基づいて強制的に停止するため、ＩＣカード機能部に記憶された個人情報の漏出や各種のサービスを不用意に行うことを防止できる。
【００５５】
本発明の実施形態によれば、ＩＣについてのＩＣカード認証が成功しない限り、ＩＣカード機能部の各種のサービスが行われないため、ＩＣカード機能部の各種のサービスを行わない状態でＩＣについてのＩＣカード認証を行うことができる。
【００５６】
なお、主制御部１５は、設定時間内で前記認証を行うようにしてもよいものである。その場合、主制御部１５は、前記設定時間を経過した前記認証を無効にする。このように、ＩＣ１０についてのＩＣカード認証に対して、時間を設定して行うことにより、ＩＣカード認証を行うリーダ／ライタ１２を必要最小限の時間のみ動作させて、セキュリテイを高く維持しつつ、ＩＣカードの認証を実現できる。
【００５７】
なお、本発明を無線電話装置に適用した場合について説明したが、これに限られるものではない。本発明は、FeliCa  ＩＣカード機能とリーダ／ライタ機能とを用いた各種の装置にも同様に適用できる。
【産業上の利用可能性】
【００５８】
本発明によれば、ＩＣカード機能部によるサービスを行わずにＩＣ（Faver）についてのＩＣカード認証を行うこともでき、非接触ＩＣカード技術の応用分野を拡大することができるものである。
【図面の簡単な説明】
【００５９】
【図１】本発明の実施形態に係る通信管理装置を示す構成図である。
【図２】本発明の実施形態におけるカードロックの設定・解除を説明するフローチャートである。
【図３】本発明の実施形態におけるＩＣカード認証動作を説明するフローチャートである。
【符号の説明】
【００６０】
１  無線電話装置
１０  ＩＣ（Faver）
１１  ＩＣカード機能部
１２  リーダ／ライタ
１３  FeliCa  IDm記憶部
１４  ＩＣカードロック設定記憶部
【図１】
2008234421.tif 000003
【図２】
2008234421.tif 000004
【図３】
2008234421.tif 000005